(57)【特許請求の範囲】
【請求項１】
複数のフェアリング片を分離可能に互いに結合して構成され、内部にペイロードを収納する収納空間を有し、
前記フェアリング片は、複数枚のハニカムコアを接合したものを基材とするハニカムサンドイッチパネルにより構成され、
それぞれの前記ハニカムコアには、当該ハニカムコアを構成する複数の中空セル同士を互いに連通する連通部が設けられるとともに、
さらに、それぞれの前記ハニカムコアには、前記フェアリング片の内面または当該フェアリング片同士の結合部となる位置に、内部に連通する浸水排気用開口部が設けられていることを特徴とする、
ペイロードフェアリング。
【請求項２】
前記浸水排気用開口部は、前記ハニカムコアにおける前記フェアリング片の周方向および長手方向の少なくとも一方の端部となる位置に設けられていることを特徴とする、
請求項１に記載のペイロードフェアリング。
【請求項３】
前記浸水排気用開口部は、前記中空セルの断面の少なくとも一部が露出する大きさの開口となっていることを特徴とする、
請求項１または２に記載のペイロードフェアリング。
【請求項４】
前記浸水排気用開口部は、前記ハニカムコアにおいて、前記フェアリング片の内側であって周方向の中央部に相当する位置に設けられていることを特徴とする、
請求項１から３のいずれか１項に記載のペイロードフェアリング。
【請求項５】
前記フェアリング片は、１枚のハニカムサンドイッチパネルで構成されるか、または、複数枚のハニカムサンドイッチパネルを結合することにより構成されていることを特徴とする、
請求項１から４のいずれか１項に記載のペイロードフェアリング。
【請求項６】
前記ペイロードフェアリングの後端側がリアコーン部となっている場合には、
前記フェアリング片には、前記ペイロードフェアリングのシリンダ部となる位置に、着水時に開放可能な導水孔が設けられていることを特徴とする、
請求項１から５のいずれか１項に記載のペイロードフェアリング。
【発明の詳細な説明】
【技術分野】
【０００１】
本発明は、打上げロケットに設けられ、内部に人工衛星等のペイロードを収納するペイロードフェアリングに関する。
【背景技術】
【０００２】
ペイロードフェアリングは、通常、打上げロケットの先端部（頭部）に設けられ、その内部に人工衛星等のペイロードを収納している。ペイロードフェアリングは、内部のペイロードをさまざまな外的影響（例えば打上げ時の大音響または振動、あるいは、大気中飛行時の摩擦熱等）から保護する役割を有している。ペイロードが特に人工衛星であれば、ペイロードフェアリングは衛星フェアリングとも称される。
【０００３】
ペイロードが人工衛星である場合を例に挙げれば、人工衛星は、衛星フェアリング内に収納された状態で打ち上げられ、打上げロケットにより目的の高度および軌道まで移送される。この移送の途中で人工衛星が十分な高度まで達すれば、衛星フェアリングは、通常、２片のフェアリング片に開頭分離してロケットの頭部から切り離される。切り離されたフェアリング片は、地表の安全な区域、例えば海上に落下する。
【０００４】
ペイロードフェアリングには、内部のペイロードを外的影響から保護する耐久性が求められるだけでなく、ロケットの打上げ可能重量に占めるペイロードフェアリングの重量をできるだけ小さくすること（軽量化）も求められる。耐久性と軽量化とを両立する観点から、例えば、特許文献１に示すように、ペイロードフェアリングには、基材にハニカムコアを用いたサンドイッチパネル（ハニカムサンドイッチパネル）が採用されることが多い。
【０００５】
各フェアリング片は、１枚または複数枚のハニカムサンドイッチパネルで構成されている。また、ハニカムサンドイッチパネルは、一般的には、複数のハニカムコアを非透水性の接着剤で接合し、さらに表層材を両面に接合して製造される。ハニカムコアは、複数の中空セルが連接した構造を有しているので、非透水性の接着剤で接合されたハニカムコア自体も、中空セルが連接された構造となっている。
【０００６】
前記の通り、ペイロードフェアリングは複数のフェアリング片に分離可能であり、各フェアリング片は、１枚または複数枚のハニカムサンドイッチパネルで構成されている。ここで、ハニカムコアを構成する複数の中空セルは、互いに連接しているものの、個々の中空セル同士の間は、通常は連通していない。そのため、フェアリング片の内部（すなわちハニカムコアの内部）では、多数の連接した中空セルによって空気が保持される。したがって、フェアリング片が海上に落下して着水した後には、基本的には水上に浮遊することになる。
【０００７】
浮遊するフェアリング片は、船舶の航行に影響を及ぼすことが懸念されるため、現状では、例えば、回収船により回収される。ところが、回収船による回収は高コストになる上に、天候が悪ければ回収が困難になることもある。
【０００８】
そこで、例えば、非特許文献１の第２〜３ページには、分離したフェアリング片を海中に水没させるために、ハニカムコアを構成する中空セルにスロットを設ける構成が提案されている。この構成によれば、スロットによってハニカムコア内に海水が浸入し、またスロットによってコア内部の空気が放出される。そのため、浮遊するフェアリング片を水没させて、船舶の航行への影響を抑制することが可能となる。
【先行技術文献】
【特許文献】
【０００９】
【特許文献１】特開２０１０−１０５４５５号公報
【非特許文献】
【００１０】
【非特許文献１】Seiji NISHIO, Naruhiko CHIKU, Makihito OZAKI, Yoichi HORIE, Yoshihiko KOMADA, Atsushi HIRANO, Takayuki IMOTO and Kyoichi UI, "Preliminary Design of the payload fairing for the Epsilon Launch Vehicle", The 28th International Symposium on Space Technology and Science (28th ISTS), June 5 to 12, 2011, ID: 2011-g-05
【発明の概要】
【発明が解決しようとする課題】
【００１１】
前記のように、中空セルにスロット等の連通部を設ける構成は、フェアリング片（ハニカムサンドイッチパネル）の内部構造である多数の中空セルに対して海水を導入する観点から非常に有効である。しかしながら、フェアリング片全体を水没させる観点では、個々の中空セルに海水を導入することに加え、これら中空セルにより構成されるハニカムコアに対して海水を良好に導入することも考慮する必要がある。つまり、ハニカムコアの外部から内部に対して海水を良好に導入できなければ、ハニカムコアを構成する多数の中空セルにも良好に海水を導入できなくなる。それゆえ、ペイロードフェアリングに対しては、水没性に関してさらなる技術的な検討の余地が見出される。
【００１２】
本発明はこのような課題を解決するためになされたものであって、海上に落下したフェアリング片をより一層良好に水没させることが可能なペイロードフェアリングを提供することを目的とする。
【課題を解決するための手段】
【００１３】
本発明に係るペイロードフェアリングは、前記の課題を解決するために、複数のフェアリング片を分離可能に互いに結合して構成され、内部にペイロードを収納する収納空間を有し、前記フェアリング片は、複数枚のハニカムコアを接合したものを基材とするハニカムサンドイッチパネルにより構成され、前記ハニカムコアには、当該ハニカムコアを構成する複数の中空セル同士を互いに連通する連通部が設けられるとともに、前記フェアリング片の内面または当該フェアリング片同士の結合部となる位置に、内部に連通する浸水排気用開口部が設けられている構成である。
【００１４】
前記構成によれば、フェアリング片がハニカムサンドイッチパネルで構成され、ハニカムサンドイッチパネルは複数枚のハニカムコアにより構成されている。そして、それぞれのハニカムコアには浸水排気用開口部が設けられている。これにより、ペイロードフェアリングが着水したときには、浸水排気用開口部からハニカムコアの内部に海水が浸入する。ハニカムコアを構成する中空セルには、互いを連通する連通部（例えばスロット等）が設けられているので、この連通部を介してハニカムコア全体に海水が導入されることになる。また、中空セル内部の空気は、連通部を介して浸水排気用開口部からハニカムコア外部に排出することができるので、ハニカムコア全体の空気を容易に海水に置き換えることができる。それゆえ、フェアリング片をより迅速に水没させることができる。
【００１５】
前記構成のペイロードフェアリングにおいては、前記浸水排気用開口部は、前記ハニカムコアにおける前記フェアリング片の周方向および長手方向の少なくとも一方の端部となる位置に設けられている構成であってもよい。
【００１６】
また、前記構成のペイロードフェアリングにおいては、前記浸水排気用開口部は、前記中空セルの断面の少なくとも一部が露出する大きさの開口となっている構成であってもよい。
【００１７】
また、前記構成のペイロードフェアリングにおいては、前記浸水排気用開口部は、前記ハニカムコアにおいて、前記フェアリング片の内側であって周方向の中央部に相当する位置に設けられている構成であってもよい。
【００１８】
また、前記構成のペイロードフェアリングにおいては、前記フェアリング片は、１枚のハニカムサンドイッチパネルで構成されるか、または、複数枚のハニカムサンドイッチパネルを結合することにより構成されてもよい。
【００１９】
また、前記構成のペイロードフェアリングにおいては、前記ペイロードフェアリングの後端側がリアコーン部となっている場合には、前記フェアリング片には、前記ペイロードフェアリングのシリンダ部となる位置に、着水時に開放可能な導水孔が設けられている構成であってもよい。
【発明の効果】
【００２０】
本発明では、以上の構成により、海上に落下したフェアリング片をより一層良好に水没させることが可能なペイロードフェアリングを提供することができる、という効果を奏する。
【図面の簡単な説明】
【００２１】
【図１】（Ａ）〜（Ｃ）は、本発明の実施の形態に係るペイロードフェアリングの一例である衛星フェアリングの代表的な構成例をそれぞれ示す模式的側面図である。
【図２】（Ａ）は、図１（Ａ）〜（Ｃ）に示す衛星フェアリングを構成するハニカムサンドイッチパネルを平板化した模式構成を示す模式的斜視図であり、（Ｂ）は、（Ａ）に示すハニカムサンドイッチパネルの内部構成および浸水排気用開口部の構成を説明する模式図である。
【図３】図１（Ａ）に示す衛星フェアリングを構成するフェアリング片の代表的な構成（１枚のハニカムサンドイッチパネルにより構成）と水没状況とを模式的に示す概略斜視図である。
【図４】図１（Ａ）に示す衛星フェアリングを構成するフェアリング片の代表的な構成（複数枚のハニカムサンドイッチパネルにより構成）と水没状況とを模式的に示す概略斜視図である。
【図５】（Ａ）は、図４に示すフェアリング片が備えるパネル結合フレームの概略構成を示す模式的断面図であり、（Ｂ）は、図４に示すパネル結合フレームの他の構成例を示す概略部分斜視図である。
【図６】（Ａ）・（Ｂ）は、ハニカムサンドイッチパネルを構成するハニカムコアおよび浸水排気用開口部の代表的な構成例を説明する斜視図である。
【図７】（Ａ）・（Ｂ）は、図３、図４、または図６（Ａ）に示すフェアリング片の水没時における海水の浸入と空気の排出とを説明する模式図である。
【図８】（Ａ）・（Ｂ）は、図６（Ｂ）に示すフェアリング片の水没時における海水の浸入と空気の排出とを説明する模式図である。
【図９】（Ａ）は、図１（Ａ）に示す衛星フェアリングを構成するフェアリング片の水没状況を模式的に示す概略側面図であり、（Ｂ）は、図１（Ｂ）に示す衛星フェアリングを構成するフェアリング片の水没状況を模式的に示す概略側面図であり、（Ｃ）は、（Ｂ）に示すフェアリング片が備える導水孔の構成例を説明する模式図である。
【図１０】（Ａ）〜（Ｆ）は、図２（Ｂ）に示すハニカムサンドイッチパネルの基材であるハニカムコアの一例を示す部分斜視図である。
【発明を実施するための形態】
【００２２】
以下、本発明の好ましい実施の形態を、図面を参照しながら説明する。なお、以下では全ての図を通じて同一又は相当する要素には同一の参照符号を付して、その重複する説明を省略する。
【００２３】
［ペイロードフェアリング］
本実施の形態では、本発明に係るペイロードフェアリングの代表的な一例として、衛星フェアリングを例示して本発明を具体的に説明する。まず、代表的な衛星フェアリングの構成について、図１（Ａ）〜（Ｃ）、並びに、図２（Ａ），（Ｂ）を参照して具体的に説明する。
【００２４】
図１（Ａ）、図１（Ｂ）または図１（Ｃ）に示すように、衛星フェアリング１０Ａ、１０Ｂまたは１０Ｃは、略円錐筒形状を有しており、図示しない打上げロケットの先頭部に取り付けられ、内部に収納空間を有する。この収納空間には、ペイロードである人工衛星４０Ａまたは４０Ｂ（図中点線で図示）が収納される。
【００２５】
図１（Ａ）に示す衛星フェアリング１０Ａは、前端から順にノーズキャップ部１１、ノーズコーン部１２、およびシリンダ部１３の三つの部位から構成されている。ノーズキャップ部１１は、衛星フェアリング１０Ａの前端に位置し、略半球状に形成される。ノーズコーン部１２は、ノーズキャップ部１１から見て後側に位置し、略円錐状に形成される。シリンダ部１３は、ノーズコーン部１２から見て後側に位置し、略筒状に形成される。
【００２６】
図１（Ｂ）に示す衛星フェアリング１０Ｂは、前端から順にノーズキャップ部１１、ノーズコーン部１２、シリンダ部１３およびリアコーン部１４を有する。ノーズキャップ部１１、ノーズコーン部１２およびシリンダ部１３の構成は衛星フェアリング１０Ａと同様であるが、リアコーン部１４は、シリンダ部１３から見て後側に位置し、シリンダ部１３よりも外径が小さくなった逆円錐台状に形成される。
【００２７】
図１（Ｃ）に示す衛星フェアリング１０Ｃは、前端から順にノーズキャップ部１１、ノーズコーン部１２、シリンダ部１３およびリアコーン部１５を有する。ノーズキャップ部１１、ノーズコーン部１２およびシリンダ部１３の構成は衛星フェアリング１０Ａまたは１０Ｂと同様である。リアコーン部１５は、衛星フェアリング１０Ｂのリアコーン部１４と同様に、シリンダ部１３から見て後側に位置するが、シリンダ部１３よりも外径が大きくなった円錐台状に形成される。
【００２８】
衛星フェアリング１０Ａ〜１０Ｃは、いずれも二つのフェアリング片１１０を分離可能に互いに結合することにより構成される。フェアリング片１１０は、衛星フェアリング１０Ａ〜１０Ｃを縦方向（長手方向）に略二分割する形状に構成され、これらフェアリング片１１０は図示しない分離機構により分離可能に結合されている。
【００２９】
衛星フェアリング１０Ａでは、一方のフェアリング片１１０ａは、ノーズキャップ部１１とノーズコーン部１２の縦半分とシリンダ部１３の縦半分で構成され、他方のフェアリング片１１０ｂは、ノーズコーン部１２の縦半分とシリンダ部１３の縦半分で構成される。衛星フェアリング１０Ｂでは、一方のフェアリング片１１０ａは、ノーズキャップ部１１とノーズコーン部１２の縦半分とシリンダ部１３の縦半分とリアコーン部１４の縦半分で構成され、他方のフェアリング片１１０ｂは、ノーズコーン部１２の縦半分とシリンダ部１３の縦半分とリアコーン部１４の縦半分で構成される。衛星フェアリング１０Ｃでは、一方のフェアリング片１１０ａは、ノーズキャップ部１１とノーズコーン部１２の縦半分とシリンダ部１３の縦半分とリアコーン部１５の縦半分で構成され、他方のフェアリング片１１０ｂは、ノーズコーン部１２の縦半分とシリンダ部１３の縦半分とリアコーン部１５の縦半分で構成される。
【００３０】
なお、図１（Ａ）〜図１（Ｃ）に示す衛星フェアリング１０Ａ〜１０Ｃでは、ノーズキャップ部１１は、一方のフェアリング片１１０ａに残る構成となっているが、衛星フェアリング１０Ａ〜１０Ｃの構成はこれに限定されず、ノーズキャップ部１１も縦半分に二分割され、他方のフェアリング片１１０ｂの一部を構成してもよい。
【００３１】
フェアリング片１１０（すなわち衛星フェアリング１０Ａ〜１０Ｃ）は、図２（Ａ）に模式的に示すようなハニカムサンドイッチパネル２０（以下、適宜「ハニカムパネル２０」と略す）により構成されている。このハニカムパネル２０は、基材であるハニカムコア２１の両面に表面材であるスキン材２２を貼り合わせたサンドイッチ構造を有している。また、ハニカムパネル２０には、内部のハニカムコア２１に連通する浸水排気用開口部２５Ａ，２５Ｂが設けられている。なお、実際のハニカムパネル２０は、フェアリング片１１０の具体的な形状（すなわちペイロードフェアリングの具体的な形状）に応じて湾曲構造等を含んでいる（図３または図４参照）が、図２（Ａ）では、ハニカムパネル２０の構成を説明する便宜上、平板状に模式化している。
【００３２】
図２（Ａ）に示す模式的な構成のハニカムパネル２０では、複数枚（図２（Ａ）では３枚）のハニカムコア２１が接合されて単一の基材を構成しており、複数枚（図２（Ａ）の表面の例では２枚）のスキン材２２が接続されて単一の表面材を構成している。言い換えれば、ハニカムパネル２０は、複数枚のスキン材２２により構成される両面層の間に、複数枚のハニカムコア２１により構成される基材が挟持されている。
【００３３】
ハニカムパネル２０のパネル端部２６には、分離機構ハウジング３１が取り付けられている。後述するように、パネル端部２６および分離機構ハウジング３１によりフェアリング片結合部１１１が構成される。分離機構ハウジング３１は、フェアリング片１１０同士を分離可能に結合する分離機構をフェアリング片結合部１１１に取り付けるための構成部材であり、図示しないボルト等のファスナ部材によりパネル端部２６に取り付けられている。
【００３４】
ハニカムパネル２０においては、ハニカムコア２１同士が接続された部位がコアスプライス部２３であり、スキン材２２同士が接続された部位がスキンスプライス部２４である。コアスプライス部２３は、ハニカムコア２１の端面同士を接着剤により接合することにより構成される。また、スキンスプライス部２４は、例えば図２（Ａ）に示すように、複数のスキン材２２の縁同士を、当該スキン材２２と同等の材料を重ねて接着剤または締結部材（ボルト等）で接合したり、あるいは、図示しないが、スキン材２２の端部同士を直接重ねて接合したりすることにより構成される。なお、コアスプライス部２３およびスキンスプライス部２４の具体的な構成は特に限定されず、宇宙機の分野で公知の手法または材料を用いて構成されればよい。
【００３５】
ハニカムコア２１は、例えば、図２（Ｂ）に示すように、所定の断面形状を有する中空セル２１１を平面状に複数並列した構成を有している。図２（Ｂ）に示す構成では、中空セル２１１は中空の断面形状が六角形である六角コアとなっている。また、中空セル２１１には、隣接する中空セル２１１同士を互いに連通する連通部として、例えばスロット２１０が設けられている。これにより、ハニカムコア２１を構成する多数の中空セル２１１は全体的に連通していることになる。
【００３６】
浸水排気用開口部２５Ａ，２５Ｂは、前述したように、ハニカムパネル２０の内部のハニカムコア２１に連通する開口部であり、フェアリング片１１０の内面側またはハニカムパネル２０の側面に形成される。浸水排気用開口部２５Ａ，２５Ｂは、ハニカムコア２１の中空セル２１１を露出させるように構成されており、例えば、図２（Ｂ）に示すように、浸水排気用開口部２５Ａは、スキン材２２の一部を例えば円形に切り欠いて構成され、浸水排気用開口部２５Ｂは、図２（Ａ）に示すように、分離機構ハウジング３１等の枠体に設けられている。なお、浸水排気用開口部２５Ａ，２５Ｂの具体的な構成については後に詳述する。また、本実施の形態では、後述するように、浸水排気用開口部２５Ｂはボルト孔３５を兼ねている。
【００３７】
［フェアリング片］
次に、衛星フェアリング１０Ａ〜１０Ｃを構成するフェアリング片１１０の具体的な構成の一例について、図３〜図５（Ａ）を参照して説明する。
【００３８】
フェアリング片１１０としては、例えば、図３に示すように、１枚のハニカムパネル２０Ａにより構成されたものを挙げることができる。言い換えれば、図３に示す構成では、１枚のハニカムパネル２０Ａが１個のフェアリング片１１０となっている。ハニカムパネル２０Ａは、合計２０枚のハニカムコア２１により構成されており、フェアリング片１１０の長手方向（縦方向）に１０枚のハニカムコア２１が接合され、周方向（横方向）に２枚ずつハニカムコア２１が接合されている。なお、図３では、コアスプライス部２３を破線で図示している。
【００３９】
また、他のフェアリング片１１０の構成例としては、図４に示すように、複数枚（例えば３枚）のハニカムパネル２０Ｂ〜２０Ｄにより構成されたものを挙げることができる。図４に示すフェアリング片１１０は、基本的には図３に示すフェアリング片１１０と同様に、２０枚のハニカムコア２１で構成されているが、これらハニカムコア２１は、３枚のハニカムパネル２０Ｂ〜２０Ｄを構成するように接合され、これらハニカムパネル２０Ｂ〜２０Ｄは、パネル結合フレーム１６により互いに結合されている。言い換えれば、図４に示す構成では、３枚のハニカムパネル２０Ｂ〜２０Ｄがパネル結合フレーム１６を介して結合されることにより１個のフェアリング片１１０が構成されている。
【００４０】
図４に示すように、ハニカムパネル２０Ｂ〜２０Ｄは、フェアリング片１１０の長手方向（縦方向）に沿って並列しており、ハニカムパネル２０Ｂおよびハニカムパネル２０Ｃがパネル結合フレーム１６に結合され、ハニカムパネル２０Ｃおよびハニカムパネル２０Ｄがパネル結合フレーム１６によって結合されている。
【００４１】
ハニカムパネル２０Ｂは、フェアリング片１１０の先端側であるノーズコーン部１２を構成し、図４に示す例では、８枚のハニカムコア２１を接合することにより構成されている。ハニカムパネル２０Ｃは、フェアリング片１１０の胴部であるシリンダ部１３の大部分を構成し、図４に示す例では、８枚のハニカムコア２１を接合することにより構成されている。ハニカムパネル２０Ｄは、フェアリング片１１０のシリンダ部１３の後端側（ロケットに結合される側）を構成し、図４に示す例では、４枚のハニカムコア２１を接合することにより構成されている。
【００４２】
ハニカムパネル２０Ｂ〜２０Ｄのいずれも、ハニカムコア２１が周方向に２枚ずつ接合されている。したがって、ハニカムパネル２０Ｂおよびハニカムパネル２０Ｃは、長手方向にはハニカムコア２１が４枚接合され、ハニカムパネル２０Ｄは、長手方向にハニカムコア２１が２枚接合されている。なお、フェアリング片１１０の構成は図３または図４に示す構成に限定されず、例えば、長手方向も周方向もペイロードである人工衛星４０Ａ，４０Ｂの大きさに合わせてハニカムコア２１の枚数を設定することができる。また、図４に示すように複数枚のハニカムパネル２０でフェアリング片１１０が構成される場合も、３枚に限定されず４枚以上であってもよいし、２枚であってもよい。
【００４３】
パネル結合フレーム１６は、ハニカムパネル２０Ｂ〜２０Ｄの縁部に取り付けられている。図５（Ａ）に示すように、パネル結合フレーム１６同士は、例えばファスナ部材１６２を介して連結される。これにより、ハニカムパネル２０Ｂ〜２０Ｄを互いに結合することができる。図５（Ａ）に示す構成例では、ハニカムパネル２０のパネル縁部２０ａに対して、当該縁部の外側を覆うようにパネル結合フレーム１６が取り付けられ、パネル結合フレーム１６およびパネル縁部２０ａを貫通するようにファスナ部材１６１が挿入されている。これにより、パネル縁部２０ａにパネル結合フレーム１６が固定される。
【００４４】
なお、ハニカムパネル２０の部位のうち、フェアリング片結合部１１１を構成する部位、すなわち他のフェアリング片１１０を構成するハニカムパネル２０と結合する部位を、パネル端部２６と称する。これに対して、図４に示すように、フェアリング片１１０が複数のハニカムパネル２０で構成されている場合に、ハニカムパネル２０同士を結合する部位を、前記の通り、パネル縁部２０ａと称するものとする。
【００４５】
ここで、図５（Ａ）に示す構成例では、パネル縁部２０ａはパネル結合フレーム１６の内部を埋めるように奥まで挿入されておらず、パネル結合フレーム１６の内部には、フレーム内空間１６３が生じている。しかしながら、パネル結合フレーム１６の取付け構成はこれに限定されない。例えば、フレーム内空間１６３が生じないようにパネル縁部２０ａがパネル結合フレーム１６の奥まで挿入された状態で、ファスナ部材１６１でパネル結合フレーム１６が固定されてもよい。
【００４６】
また、ハニカムパネル２０同士を結合する際には、それぞれのハニカムパネル２０の側面（パネル縁部２０ａの周面）同士を突き合わせて連結することになる。パネル縁部２０ａにはパネル結合フレーム１６が設けられているので、ハニカムパネル２０の側面はパネル結合フレーム１６で覆われていることになる。それゆえ、図５（Ａ）に示すように、パネル結合フレーム１６の外面（ハニカムパネル２０の側面に対応）同士を突き合わせて、外面同士を貫通するようにファスナ部材１６２を挿入する。これにより、パネル結合フレーム１６を介してハニカムパネル２０同士を結合することができる。
【００４７】
なお、ファスナ部材１６１，１６２の具体的な構成は特に限定されず、公知のものを好適に用いることができる。また、パネル結合フレーム１６をハニカムパネル２０に固定する構成も、ファスナ部材１６１をハニカムパネル２０の厚み方向に貫通させる構成に限定されず、公知のさまざまな固定構成を採用することができる。同様に、パネル結合フレーム１６同士を結合する構成も、ファスナ部材１６２を貫通させる構成に限定されず、公知のさまざまな結合構成を採用することができる。
【００４８】
フェアリング片１１０は、前述したように、他のフェアリング片１１０と結合して衛星フェアリング１０Ａ〜１０Ｃを構成する。また、衛星フェアリング１０Ａ〜１０Ｃはロケットの先端部に取り付けられる。そのため、図３または図４に示すように、フェアリング片１１０は、他のフェアリング片１１０と結合するためのフェアリング片結合部１１１と、ロケットに結合するためのロケット結合部１１２とを有している。フェアリング片結合部１１１およびロケット結合部１１２は、いずれも図３または図４には図示しない分離機構を備えており、この分離機構を介して、他のフェアリング片１１０またはロケットの先端部に結合される。
【００４９】
前術したように、フェアリング片１１０は、１枚または複数枚のハニカムパネル２０により構成される。それゆえ、フェアリング片結合部１１１またはロケット結合部１１２における分離機構の取付け部位は、ハニカムパネル２０のパネル側面の一部となり得る。また、図３または図４に示すように、ハニカムパネル２０Ａ〜２０Ｄには、フェアリング片１１０の内面となる位置に浸水排気用開口部２５Ａが設けられているとともに、フェアリング片結合部１１１に浸水排気用開口部２５Ｂが設けられている。
【００５０】
［浸水排気用開口部］
次に、フェアリング片１１０に設けられる浸水排気用開口部２５Ａ，２５Ｂについて、図２（Ａ）〜図５（Ａ）に加えて、図５（Ｂ）、図６（Ａ）および図６（Ｂ）を参照して具体的に説明する。
【００５１】
前記の通り、フェアリング片１１０は１枚または複数枚のハニカムパネル２０により構成されており、ハニカムパネル２０は、複数枚のハニカムコア２１を接合したものを基材として構成される。そして、それぞれのハニカムコア２１には、フェアリング片１１０の内面またはフェアリング片結合部１１１となる位置に、当該ハニカムコア２１の内部に連通する浸水排気用開口部２５Ａ，２５Ｂが設けられている。
【００５２】
ハニカムコア２１には、前述したように、当該ハニカムコア２１を構成する複数の中空セル２１１同士を互いに連通するスロット（連通部）２１０が設けられる。それゆえ、スロット（連通部）２１０を介してハニカムコア２１の内部全体が連通しているとともに、浸水排気用開口部２５Ａ，２５Ｂを介して、ハニカムコア２１の内部が外部に連通していることになる。また、ハニカムパネル２０は、前述したように、複数のハニカムコア２１がコアスプライス部２３を介して接合されたものであり、コアスプライス部２３は、ハニカムコア２１同士を接着剤層で接合することにより構成される。接着剤層には透水性がないため、浸水排気用開口部２５Ａ，２５Ｂは、コアスプライス部２３で分断されるそれぞれのハニカムコア２１に設けられることになる。
【００５３】
浸水排気用開口部２５Ａは、図２（Ａ）〜図４、図５（Ｂ）、図６（Ａ）および図６（Ｂ）に示すように、フェアリング片１１０の内面（すなわち衛星フェアリング１０Ａ〜１０Ｃの収納空間の内側となる面）に設けられる。それゆえ、浸水排気用開口部２５Ａは「パネル内面開口部」と表現することができる。浸水排気用開口部２５Ａは、図２（Ｂ）に模式的に示すように、スキン材２２を切り欠いて形成されるが、これに限定されず、図５（Ｂ）に示すように、パネル結合フレーム１６に形成されてもよい。
【００５４】
ここで、例えば、浸水排気用開口部２５Ａの形成位置が、パネル結合フレーム１６とパネル縁部２０ａとが重なっている位置であれば（図５（Ａ）参照）、浸水排気用開口部２５Ａは、スキン材２２およびパネル結合フレーム１６の双方を切り欠いて形成されてもよい。また、浸水排気用開口部２５Ａの形成位置が、パネル結合フレーム１６のみ、すなわち、フレーム内空間１６３に対応する位置であれば（図５（Ａ）参照）、浸水排気用開口部２５Ａは、パネル結合フレーム１６のみを切り欠いて形成されればよい。
【００５５】
浸水排気用開口部２５Ｂは、図２（Ａ）および図６（Ａ）に示すように、パネル端部２６に取り付けられる分離機構ハウジング３１に設けられる。パネル端部２６および分離機構ハウジング３１は、フェアリング片結合部１１１を構成しており（図６（Ａ）において点線で囲んだ領域を参照）、分離機構ハウジング３１が取り付けられるパネル端部２６は、ハニカムコア２１の中空セル２１１が露出する開放端となっている。それゆえ、分離機構ハウジング３１に浸水排気用開口部２５Ｂが形成されることにより、当該浸水排気用開口部２５Ｂは中空セル２１１に連通することになる。なお、図２（Ａ）に模式的に示すように、分離機構ハウジング３１は、ハニカムパネル２０においてパネル側面を構成している。それゆえ、浸水排気用開口部２５Ｂは「パネル側面開口部」と表現することができる。
【００５６】
浸水排気用開口部２５Ａ，２５Ｂの具体的な構成は特に限定されない。例えば、図２（Ａ）〜図６（Ｂ）に示すように、浸水排気用開口部２５Ａ，２５Ｂの形状は円形であればよいが、もちろんこれに限定されず、矩形また五角形以上の多角形であってもよい。また、浸水排気用開口部２５Ａ，２５Ｂの形状または開口径（内径）は特に限定されない。浸水排気用開口部２５Ａ，２５Ｂは、後述するようにフェアリング片１１０が海上に着水したときに、当該フェアリング片１１０を構成するハニカムパネル２０の内部に海水を良好に導入することができる形状または開口径であればよい。
【００５７】
例えば、パネル内面に形成される浸水排気用開口部２５Ａについては、中空セル２１１の中空部分が一つ以上露出できる形状または開口径であれば好ましい。例えば図６（Ａ），（Ｂ）に示す構成では、浸水排気用開口部２５Ａは、中空セル２１１の内面側の端部を露出するようにスキン材２２を切り欠いて形成される（図２（Ｂ）参照）。それゆえ、浸水排気用開口部２５Ａは、中空セル２１１の断面の少なくとも一部が露出する大きさの開口となっていれば、後述する海水の浸入または空気の排気が生じやすくなる。なお、浸水排気用開口部２５Ａの大きさは特に限定されず、前記の通り、海水の浸入が可能な程度に、中空セル２１１の断面の少なくとも一部が露出する程度の大きさであればよい。図２（Ｂ）で図示する浸水排気用開口部２５Ａは、中空セル２１１の断面が一つ以上露出する大きさであるが、これより小さくてもよいし大きくてもよい。
【００５８】
また、パネル側面に形成される浸水排気用開口部２５Ｂについては、図６（Ａ）に示すように、分離機構ハウジング３１に設けられるボルト孔３５を利用することができる。具体的には、例えば、分離機構が作動すれば分離機構ハウジング３１のボルト孔３５が開放される。このとき、パネル端部２６は開放端であるため、中空セル２１１のスロット（連通部）２１０は露出するように開放されている。これにより、ハニカムコア２１のパネル端部２６がボルト孔３５を介して外気に通じることができる。それゆえ、分離機構ハウジング３１のボルト孔３５を浸水排気用開口部２５Ｂとして利用可能となる。
【００５９】
これにより、パネル端部２６のボルト孔３５（浸水排気用開口部２５Ｂ）からスロット（連通部）２１０を介してハニカムコア２１内に海水を浸入させやすくすることができるとともに、スロット（連通部）２１０を介してハニカムコア２１内の空気を排気させることができる。なお、パネル端部２６において、ハニカムコア２１が露出している状態を良好に維持するために、分離機構ハウジング３１以外の公知の枠材等を取り付けてもよい。
【００６０】
浸水排気用開口部２５Ａ，２５Ｂの形成位置も特に限定されないが、それぞれのハニカムコア２１の内部に海水を浸入させるために、浸水排気用開口部２５Ａ，２５Ｂは、各ハニカムコア２１においてフェアリング片１１０の周方向および長手方向の端部となる位置に設けられていることが好ましい。これにより、ハニカムコア２１の四隅近傍が開放されることになり、ハニカムコア２１の多くの部分を良好に浸水させることができる。例えば、図６（Ａ）または図６（Ｂ）に示すように、浸水排気用開口部２５Ａ，２５Ｂは、ハニカムパネル２０を構成するハニカムコア２１において、周方向および長手方向の端部またはその近傍に形成されればよい。
【００６１】
図６（Ａ）に示す構成はパネル端部２６が開放端となっている例であり、図６（Ｂ）に示す構成はパネル端部２６が開放端ではない（パネル端部２６においてハニカムコア２１が露出していない閉止端となっている）例である。図６（Ａ）に示す構成では、ハニカムコア２１の周方向の一端に分離機構ハウジング３１が取り付けられるので、ハニカムコア２１の一端に浸水排気用開口部２５Ｂが設けられ、ハニカムコア２１の他端に浸水排気用開口部２５Ａが設けられる。また、図６（Ｂ）に示す構成では、パネル端部２６が閉止端であるので、ハニカムコア２１の一端に隣接するパネル内面に浸水排気用開口部２５Ａが設けられてもよい。この構成では、閉止端ではハニカムコア２１が露出していないので、ボルト孔３５は浸水排気用開口部２５Ｂとして機能しない。
【００６２】
さらに、図５（Ｂ）に模式的に示すように、浸水排気用開口部２５Ａは、パネル結合フレーム１６の一部を切り欠いて形成されてもよい。また、図２（Ａ）に模式的に示すように、ハニカムパネル２０が周方向に３枚以上のハニカムコア２１で構成される場合も、それぞれのハニカムコア２１について、周方向および長手方向の両端部近傍に浸水排気用開口部２５Ａ，２５Ｂが形成されればよい。また、図示しないが、パネル端部２６が開放端であっても、周方向の一端に浸水排気用開口部２５Ａが設けられてもよい。つまり、浸水排気用開口部２５Ａをハニカムコア２１に設ける場合、図６（Ａ）および図６（Ｂ）の構成を組み合わせた構成を採用することもできる。
【００６３】
なお、ハニカムコア２１の内部を良好に浸水させることができれば、浸水排気用開口部２５Ａ，２５Ｂは、フェアリング片１１０の周方向の端部および長手方向の端部の少なくともいずれかに設けられていればよい。つまり、浸水排気用開口部２５Ａ，２５Ｂは、周方向の端部および長手方向の端部のいずれにも設けられていることが好ましいが、ハニカムコア２１の内部に海水を良好に導入できるのであれば、周方向の端部のみに設けられてもよいし、長手方向の端部のみに設けられてもよい。
【００６４】
また、浸水排気用開口部２５Ａ，２５Ｂは、ペイロードフェアリングの収納空間を外部から隔離する観点から、前述したように、フェアリング片１１０の内面となる位置であるか、フェアリング片結合部１１１における外気または宇宙空間に曝されない位置に設けられればよい。
【００６５】
フェアリング片１１０の内面はペイロードである人工衛星４０Ａ，４０Ｂを収納する収納空間を確定する面となっているが、フェアリング片１１０の外面は、外気または宇宙空間に曝される面である。そのため、収納空間を外気または宇宙空間から隔離する観点から、フェアリング片１１０の内面に浸水排気用開口部２５Ａが形成される。また、フェアリング片１１０同士が分離機構により結合して衛星フェアリング１０Ａ〜１０Ｃを構成している場合には、それぞれのフェアリング片１１０は、フェアリング片結合部１１１同士を突き合わせて結合している状態にある。そのため、フェアリング片結合部１１１における外気または宇宙空間に曝されない位置に浸水排気用開口部２５Ｂを設けることで、収納空間の隔離に影響を及ぼすおそれを回避することができる。
【００６６】
なお、フェアリング片１１０の内面における浸水排気用開口部２５Ａの形成位置は特に限定されないが、図３または図４において一点鎖線で示す部位１１３に対応する位置に設けられていればよい。この部位１１３は、フェアリング片１１０の内側における周方向の中央部分であって長手方向に広がる領域となっているので、便宜上、この部位１１３を「内面中央部１１３」と称する。フェアリング片１１０の周方向（横方向）の断面すなわち横断面の形状は略円弧状となっているが、内面中央部１１３は、フェアリング片１１０の横断面における凸部または凹部の頂点に対応する領域となる。
【００６７】
ここで、内面中央部１１３の具体的な範囲（内面中央部１１３の幅）については特に限定されず、少なくとも凹部または凸部の頂点近傍であって、少なくとも２個の浸水排気用開口部２５Ａを設けることができる程度の幅であればよい。図３または図４に示す例では、フェアリング片１１０の周方向が２枚のハニカムコア２１で構成されているが、この場合、凹部または凸部の頂点近傍は、各ハニカムコア２１の端面同士を突き合わせて接合した位置に相当する。浸水排気用開口部２５Ａは、この頂点近傍となる端部（一方の端部）にそれぞれ設けられている。それゆえ、この例では、内面中央部１１３は、少なくとも周方向に２個の浸水排気用開口部２５Ａを設けられる程度の幅であればよい。
【００６８】
また、図示しないが、フェアリング片１１０の周方向が１枚のハニカムコア２１で構成されていたり、３枚以上のハニカムコア２１で構成されていたりすれば、フェアリング片１１０の頂点近傍となる位置に少なくとも周方向に１個の浸水排気用開口部２５Ａを設け、ハニカムコア２１の周方向の両端部にそれぞれ浸水排気用開口部２５Ａを設ける構成を採用することができる。また、図３または図４に示す例であっても、互いに突き合わせて接合される２枚のハニカムコア２１の端面同士を連通させておけば、頂点近傍に浸水排気用開口部２５Ａを１個のみ設けることもできる。これらの場合は、内面中央部１１３の幅は、少なくとも周方向に１個の浸水排気用開口部２５Ａが設けられる程度の幅であればよい。
【００６９】
したがって、内面中央部１１３の幅の下限は、周方向に１〜２個の浸水排気用開口部２５Ａを設けることができる程度であればよい。一方、内面中央部１１３の幅の上限については、頂点を含み、フェアリング片１１０の周方向長さの１／４〜１／３程度となる幅であればよい。内面中央部１１３の幅がこの程度の範囲内であれば、頂点近傍と見なすことができる位置に浸水排気用開口部２５Ａを設けることができる。
【００７０】
このように、フェアリング片１１０を基準としたときには、浸水排気用開口部２５Ａは、ハニカムコア２１における内面中央部１１３（フェアリング片１１０の内側であって周方向の中央部）に相当する位置に設けられていることが好ましい。ただし、フェアリング片１１０における浸水排気用開口部２５Ａが設けられる部位は、内面中央部１１３に限定されない。例えば、フェアリング片１１０において内面中央部１１３とともに他の部位に浸水排気用開口部２５Ａが設けられてもよいし、内面中央部１１３以外の部位に浸水排気用開口部２５Ａが設けられてもよい。
【００７１】
浸水排気用開口部２５Ａ，２５Ｂには、前記の通りハニカムコア２１が露出しており、このハニカムコア２１を構成する中空セル２１１には、前記の通りスロット（連通部）２１０が設けられる。このスロット（連通部）２１０は、隣接する中空セル２１１同士を連通し、中空セル２１１内に海水を導入でき、中空セル２１１内の空気を排出できるものであればよく、その形成位置、形状、またはサイズ等については特に限定されない。ただし、スロット（連通部）２１０は中空セル２１１内において海水の流れが蛇行するような位置に形成されることが好ましい。
【００７２】
例えば、図２（Ｂ）に示すような六角形断面の中空セル２１１では、六角筒を構成する三対の対向面のうち全ての対向面にスロット（連通部）２１０を形成するのではなく、二対の対向面にそれぞれスロット（連通部）２１０を形成する構成を挙げることができる。一対の対向面のみにスロット（連通部）２１０を形成すると、浸水排気用開口部２５Ａ，２５Ｂから導入された海水は、対向面のスロット（連通部）２１０を直線状に流れるだけで蛇行しない。それゆえ、少なくとも二対の対向面にスロット（連通部）２１０を形成すれば、中空セル２１１内に流れ込む海水をできるだけ蛇行させるようにすることができる。
【００７３】
［フェアリング片の水没］
次に、フェアリング片１１０の水没について、図３〜図６（Ｂ）に加えて、図７（Ａ），（Ｂ）、図８（Ａ），（Ｂ）並びに図９（Ａ）〜（Ｃ）を参照して具体的に説明する。
【００７４】
衛星フェアリング１０Ａ〜１０Ｃは、打上げロケットにより目的の高度および軌道を目指して移送される。この途中で、人工衛星４０Ａまたは４０Ｂを露出させるために衛星フェアリング１０Ａ〜１０Ｃは開頭分離してロケットの頭部から切り離される。切離されたフェアリング片１１０は例えば海上に落下する。例えば、図７（Ａ）または図８（Ａ）に示すように、フェアリング片１１０が内面を上側に向けた状態（収納空間を上方の大気に向けた状態、凹状態）で海面に着水すれば、図３または図４においてブロック矢印Ｃに示すように、ロケット結合部１１２側（後端側）からフェアリング片１１０の内部に海水が入り込む。
【００７５】
フェアリング片１１０の内面中央部１１３には、前記の通り複数の浸水排気用開口部２５Ａが設けられている。そのため、図３、図４、図５（Ｂ）、図６（Ａ）、図６（Ｂ）、図７（Ａ）および図８（Ａ）においてブロック矢印Ａに示すように、浸水排気用開口部２５Ａからハニカムコア２１内に海水が浸入する。
【００７６】
ここで、１枚のハニカムコア２１において、分離機構ハウジング３１が取り付けられる端部を「周方向の一端」とし（図６（Ａ）、図６（Ｂ）参照）、内面中央部１１３側となる端部を「周方向の他端」としたときに、当該ハニカムコア２１では、周方向の他端となる部位には内面中央部１１３に浸水排気用開口部２５Ａが設けられている一方、周方向の一端となる部位、すなわちフェアリング片結合部１１１には、図３、図４、図５（Ｂ）、図６（Ａ）および図７（Ａ）に示す例では浸水排気用開口部２５Ｂが設けられており、図６（Ｂ）および図８（Ａ）に示す例では浸水排気用開口部２５Ａが設けられている。フェアリング片結合部１１１は、開放端であるパネル端部２６と、このパネル端部２６に取り付けられる分離機構ハウジング３１とで構成されており、浸水排気用開口部２５Ｂは、分離機構ハウジング３１に形成されている。
【００７７】
前述したように、ハニカムコア２１を構成する複数の中空セル２１１は、互いにスロット（連通部）２１０で連通している。それゆえ、浸水排気用開口部２５Ａから浸入した海水は、スロット（連通部）２１０を介して周方向の他端から中空セル２１１内を徐々に満たしていく。しかも、図３、図４、図５（Ｂ）、図６（Ａ）および図７（Ａ）に示す例では、ブロック矢印Ｂに示すように、開放端であるパネル端部２６を介して浸水排気用開口部２５Ｂから、図６（Ｂ）および図８（Ａ）に示す例では周方向の一端に設けられた浸水排気用開口部２５Ａから、ハニカムコア２１内の空気が排気（排出）される。それゆえ、中空セル２１１内では、海水に押し出されるように空気がスロット（連通部）２１０から排出され、最終的に周方向の一端に設けられた浸水排気用開口部２５Ｂまたは浸水排気用開口部２５Ａから排気されることになる。
【００７８】
一方、図７（Ｂ）または図８（Ｂ）に示すように、フェアリング片１１０が内面を下側に向けた状態（収納空間を下方の海面に向けた状態、凸状態）で海面に着水すれば、ブロック矢印Ａに示すように、フェアリング片１１０のフェアリング片結合部１１１が海水中に浸ることになる。それゆえ、図７（Ｂ）に示す例では、フェアリング片結合部１１１に設けられた浸水排気用開口部２５Ｂから、図８（Ｂ）に示す例では、フェアリング片結合部１１１に設けられた浸水排気用開口部２５Ａからハニカムコア２１内部に海水が浸入する。
【００７９】
前述したように、ハニカムコア２１を構成する複数の中空セル２１１にはスロット（連通部）２１０が設けられているので、スロット（連通部）２１０を介して周方向の一端から中空セル２１１内を徐々に海水で満たしていく。中空セル２１１が海水で満たされていくときにはスロット（連通部）２１０を介して中空セル２１１内の空気が排気される。そのため、図７（Ｂ）および図８（Ｂ）においてブロック矢印Ｂに示すように、ハニカムコア２１内の空気は、最終的に周方向の他端に位置する浸水排気用開口部２５Ａから排気されることになる。
【００８０】
このように、ハニカムパネル２０（フェアリング片１１０）に設けられる浸水排気用開口部２５Ａ，２５Ｂは、ハニカムパネル２０を構成するハニカムコア２１に連通している。そのため、フェアリング片１１０が凹状態で海面に着水しても凸状態で海面に着水しても、これら浸水排気用開口部２５Ａ，２５Ｂによりハニカムコア２１の内部を空気から海水に良好に置換することができる。その結果、海上に着水したフェアリング片１１０を円滑に水没させることができる。
【００８１】
ここで、図３または図４に示すフェアリング片１１０は、図１（Ａ）に示す衛星フェアリング１０Ａに対応し、ノーズコーン部１２およびシリンダ部１３を有する構成である。それゆえ、図９（Ａ）（並びに図３または図４）においてブロック矢印Ｃに示すように、フェアリング片１１０が凹状態で海上に着水すれば、その後端からフェアリング片１１０の収納空間内に海水が入り込む。ところがフェアリング片１１０が、図１（Ｂ）に示す衛星フェアリング１０Ｂに対応していれば、ノーズコーン部１２およびシリンダ部１３に加えてリアコーン部１４を有している。リアコーン部１４はシリンダ部１３よりも後端側の内径が小さくなるような略円錐台の外形状を有しているため、図９（Ｂ）に示すように、フェアリング片１１０の後端が海面よりも上に位置することになる。これにより、フェアリング片１１０が凹状態で海上に着水しても、海水は後端から収納空間内に入り込むことができない。
【００８２】
そこで、例えば、図９（Ｂ）および図９（Ｃ）に示すように、フェアリング片１１０の後端側がリアコーン部１４となっている場合には、このフェアリング片１１０のシリンダ部１３となる位置に、着水時に外側に開放可能な導水孔３２が設けられてもよい。この導水孔３２は、例えば、図９（Ｃ）に示すように、フェアリング片１１０のシリンダ部１３を貫通する開口を保持する枠体３２１と、この枠体３２１に開閉可能に取り付けられる逆止弁３２２と、を備えている。
【００８３】
逆止弁３２２は、フェアリング片１１０の内側から外側に向かって開閉可能に構成されている。衛星フェアリング１０Ｂが起立状態またはロケットによる飛行時には、逆止弁３２２は自重または外圧で閉止し、衛星フェアリング１０Ｂの内圧が外部よりも高くなった場合、あるいは、フェアリング片１１０が凹状態で着水したときには、逆止弁３２２は自重で外側に向けて開く構成となっている。それゆえ、フェアリング片１１０が凹状態で海上に着水したときには、当該フェアリング片１１０の後端から海水が入り込めなくても、導水孔３２の逆止弁３２２が海面に向かって開放されるので、図９（Ｃ）のブロック矢印Ｄに示すように、フェアリング片１１０の収納空間側に海水が導入される。
【００８４】
収納空間側に導入された海水は、内面中央部１１３に設けられる浸水排気用開口部２５Ａからハニカムコア２１内に浸入可能であり、ハニカムコア２１内の空気は、フェアリング片結合部１１１に設けられる浸水排気用開口部２５Ｂから排気可能である。そのため、フェアリング片１１０が、後端側にリアコーン部１４を有する構成であっても、収納空間内に良好に海水を導くことができる。その結果、フェアリング片１１０を円滑に水没させることができる。
【００８５】
［変形例］
本実施の形態では、ペイロードフェアリングの代表的な一例として、図１（Ａ）〜（Ｃ）に示す衛星フェアリング１０Ａ〜１０Ｃを例示したが、本発明に係るペイロードフェアリングはこれに限定されず、ペイロードとして人工衛星４０Ａ，４０Ｂ以外の他の宇宙機を収納する構成であってもよい。また、図１（Ａ）〜（Ｃ）に示す衛星フェアリング１０Ａ〜１０Ｃは、ロケットの上段に取り付けられる構成であるが、衛星フェアリング１０Ａ〜１０Ｃの後端がロケットの上段部を覆う構成となっていてもよい。
【００８６】
また、本実施の形態では、ハニカムコア２１として、図２（Ｂ）および図１０（Ａ）に示すように、六角形断面の中空セル２１１を有する六角コアを例示しているが、ハニカムコア２１は六角コアに限定されず、その他の公知の構成を好適に用いることができる。
【００８７】
例えば、ハニカムコア２１の他の構成としては、図１０（Ｂ）または図１０（Ｃ）に示すように、断面がＴ字状の中空セル２１２を有するフレキシブルコア（登録商標）を挙げることができる。Ｔ字の横線に対応する領域を横領域、Ｔ字の縦線に対応する領域を縦領域としたときに、このフレキシブルコアでは、二つの中空セル２１２の横領域の間に縦領域の先端が介在するような配置で、複数の中空セル２１２が積み重ねられた構成を有している。スロット（連通部）２１０は、中空セル２１２内に浸入する海水が蛇行するような位置に設けられている。
【００８８】
例えば、図１０（Ｂ）では、一つのスロット（連通部）２１０が、任意の中空セル２１２の横領域のうち、隣接する他の中空セル２１２の縦領域に対応する側面部の一つに設けられ、他の一つのスロット（連通部）２１０が、任意の中空セル２１２の横領域のうち、隣接する他の中空セル２１２の横領域に対応する側面部の一つに設けられる。また、図１０（Ｃ）では、縦領域と横領域との接点となる部位（横領域において縦領域の付け根となる部位）にそれぞれ一つずつスロット（連通部）２１０が設けられている。
【００８９】
また、ハニカムコア２１の他の構成としては、図１０（Ｄ）に示すように、六角形断面を一方向に延伸させたような断面の中空セル２１３を有するＯＸコア（登録商標）、図１０（Ｅ）に示すように、横断面が略星形のような中空セル２１４を有するダブルフレキシブルコア（登録商標）等を挙げることができる。これら中空セル２１３または中空セル２１４に対しても、内部に浸入する海水が蛇行するように、セル内部空間を挟んで対角線を形成するような位置にそれぞれスロット（連通部）２１０が設けられている。
【００９０】
また、中空セル２１１同士は、公知の連通部により互いに連通していればよく、連通部の構成は、図２（Ｂ）および図１０（Ａ）〜図１０（Ｅ）に示すようなスロット２１０のみに限定されない。例えば、図１０（Ｆ）に示すように、中空セル２１１には、連通部として、スロット２１０ではなくドリル孔２２０が形成されてもよい。ドリル孔の形成方法または形成位置等の諸条件は特に限定されず、例えば、公知のドリル装置を用いて好適な箇所にドリル孔２２０を形成すればよい。
【００９１】
さらに、本実施の形態では、導水孔３２の開放方向は特に限定されない。例えば、着水時に周方向に開放可能に構成されてもよいし、打上げ時または飛行時に衛星フェアリング１０Ａ〜１０Ｃ内と外部空間とを十分に遮断できるのであれば、内側に開放可能な構成であってもよい。いずれにせよ導水孔３２は着水時に開放されることで、フェアリング片１１０の内面側に海水を導入することができる構成であればよい。
【００９２】
また、本実施の形態では、フェアリング片１１０の内面（すなわち衛星フェアリング１０Ａ〜１０Ｃの収納空間の内側となる面）に設けられる浸水排気用開口部２５Ａとして、前述したようにスキン材２２を切り欠いて形成される構成（図２（Ｂ）または図６（Ａ），（Ｂ）等参照）と、パネル結合フレーム１６を切り欠いて形成される構成（図５（Ｂ）参照）とを例示しているが、浸水排気用開口部２５Ａの構成はこれらに限定されない。例えば、フェアリング片１１０の構成によっては、スキン材２２およびパネル結合フレーム１６以外の部材が、当該フェアリング片１１０の内面に位置することもあり得るが、このような他の部材にも浸水排気用開口部２５Ａを形成することが可能である。
【００９３】
このように、本発明に係るペイロードフェアリングは、複数のフェアリング片を分離可能に互いに結合して構成され、内部にペイロードを収納する収納空間を有し、それぞれのフェアリング片は、複数枚のハニカムコアを接合したものを基材とするハニカムサンドイッチパネルにより構成され、ハニカムコアには、当該ハニカムコアを構成する複数の中空セル同士を互いに連通するスロットが設けられるとともに、フェアリング片の内面または当該フェアリング片同士の結合部となる位置には、内部に連通する浸水排気用開口部が設けられている構成となっている。
【００９４】
これにより、ペイロードフェアリングが着水したときには、浸水排気用開口部からハニカムコアの内部に海水が浸入する。ハニカムコアを構成する中空セルには、互いを連通するスロットが設けられているので、スロットを介してハニカムコア全体に海水が導入されることになる。また、中空セル内部の空気は、スロットを介して浸水排気用開口部からハニカムコア外部に排出することができるので、ハニカムコア全体の空気を容易に海水に置き換えることができる。それゆえ、フェアリング片をより迅速に水没させることができる。
【００９５】
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【００９６】
本発明は、人工衛星等のペイロードを収納するペイロードフェアリングの分野に広く好適に用いることができる。
【符号の説明】
【００９７】
１０Ａ〜１０Ｃ  衛星フェアリング（ペイロードフェアリング）
１１    ノーズキャップ部
１２    ノーズコーン部
１３    シリンダ部
１４，１５    リアコーン部
１６    パネル結合フレーム
２０    ハニカムサンドイッチパネル（ハニカムパネル）
２０Ａ〜２０Ｄ    ハニカムサンドイッチパネル（ハニカムパネル）
２０ａ  パネル縁部
２１    ハニカムコア
２２    スキン材
２３    コアスプライス部
２４    スキンスプライス部
２５Ａ，２５Ｂ    浸水排気用開口部
２６    パネル端部
３１    分離機構ハウジング
３２    導水孔
３５    ボルト孔
４０Ａ，４０Ｂ    人工衛星（ペイロード）
１１０    フェアリング片
１１０ａ，１１０ｂ    フェアリング片
１１１    フェアリング片結合部
１１２    ロケット結合部
１１３    内面中央部
１６１，１６２    ファスナ部材
１６３    フレーム内空間
２１０    スロット（連通部）
２１１〜２１４    中空セル
３２１    枠体
３２２    逆止弁
【図１】
0006549982.tif 000002
【図２】
0006549982.tif 000003
【図３】
0006549982.tif 000004
【図４】
0006549982.tif 000005
【図５】
0006549982.tif 000006
【図６】
0006549982.tif 000007
【図７】
0006549982.tif 000008
【図８】
0006549982.tif 000009
【図９】
0006549982.tif 000010
【図１０】
0006549982.tif 000011